(57)【特許請求の範囲】
【請求項１】
粉粒体を搬送するスクリューフィーダのブリーザに濾布を固定するための濾布の取り付け構造であって、
筒状の濾布と、
この濾布の上端および下端をそれぞれ嵌着して固定する上フランジおよび下フランジと、
前記下フランジに嵌着されて上方に伸びるステーとを有し、
前記上フランジを前記ステーに係合して前記濾布を上方に引き上げ、前記濾布に掛けられる張力によってブリーザに濾布を固定する際に、
前記ステーが下方が開放された門形の形状を有し、下側の両端部が前記下フランジに嵌着され、上端部の中央に設けられた前記ステーを屈曲させた部分に設けた板状の係合部に形成した切り欠き部に前記上フランジの中央に設けられたボルトを係合し、このボルトをナットで引き上げて、前記濾布を前記下フランジと上フランジとの間に張力を掛けて固定することを特徴とする濾布の取り付け構造。
【発明の詳細な説明】
【０００１】
【発明の属する技術分野】
本発明は、粉粒体を搬送するスクリューフィーダ等に設けられるブリーザにおける濾布の取り付け構造に関するものであり、より詳細には、濾布をより簡便に着脱可能にした濾布の取り付け構造に関するものである。
【０００２】
【従来の技術】
粉粒体を搬送するスクリューフィーダ等においては、粉粒体とともに空気の一部も搬送されるので、スクリューフィーダの奥の端部がわずかであるが高圧になる。このため、この気圧の差によって粉粒体の搬送に支障が生じないように、スクリューフィーダの奥の端部にブリーザを設けて、外気を流通可能にすることによって内外の気圧差を無くすことが行われている。
【０００３】
このブリーザには、外気とともに粉塵が混入したりスクリューフィーダで搬送する粉粒体が外部に漏れたりすることなく、空気のみが通過できるように、濾布が取り付けられている。この濾布は、長時間の使用によって目詰りを生じ、空気の通過性能が悪くなる前に清掃しなければならないことは勿論であり、さらに、スクリューフィーダで搬送する粉粒体が、食用の穀物粉やセメント等のように、濾布に付着して長時間が経過すると、空気中の水分を吸収して固化したり、空気中の酸素によって酸化するなどの変質が生じる物質であるときには、濾布に付着した粉粒体に変質が生じる前に濾布を清掃して、濾布に付着して変質した粉粒体がスクリューフィーダ内に落下して、搬送する粉粒体に混入することを防止しなければならない。
【０００４】
また、このようなブリーザでは、取り付けられる濾布を支持するために、濾布を支持して固定するフレームを有している。このフレームは、通常は、棒材などで簡単な構造に作られており、内側にフレームを配置して、その外側に濾布を被せるタイプのものと、外側にフレームを配置して濾布を支持し、濾布の内側は完全な中空とするタイプのものとがある。そして、粉粒体を搬送するスクリューフィーダ等に設けられるブリーザの場合には、濾布の内側にフレームを配置するタイプのものでは、濾布とフレームとの間に粉粒体が溜まりやすくなるので、外側にフレームを配置して濾布を支持し、濾布の内側は完全な中空となるタイプのものが採用されている。
【０００５】
図７は奥の端部にブリーザを設けたスクリューフィーダの一例を示すもので、以下に、小麦粉を袋詰めするための袋詰装置を例示して説明する。この小麦粉の袋詰装置４０は、上部に粉粒体である小麦粉をストックして順次供給する粉体貯留部４２が配置されており、その下部に粉体貯留部４２から供給される小麦粉を定量ずつ搬送して包装袋に充填する搬送袋詰部４４が設けられている。そして、粉体貯留部４２と搬送袋詰部４４とは、連結部４６によって相互に連結されている。
【０００６】
粉体貯留部４２には、最上部に小麦粉をストックするホッパー４８が設けられており、このホッパー４８の下方に小麦粉を攪拌してブリッジの発生を防止する複数の攪拌翼５０が装着された攪拌軸５２が配置され、攪拌軸５２のさらに下方には小麦粉を搬送袋詰部４４に供給するスクリューフィーダ５４が設けられている。そして、スクリューフィーダ５４の奥の端部には、本発明に関係するブリーザ５６が設けられている。また、攪拌軸５２とスクリューフィーダ５４とは、Ｖベルト等の伝導手段５８で相互に連結されており、脚部６０の下端に設けられた駆動モータ６２によって伝導手段５８を介して回転駆動される。
【０００７】
一方、粉体貯留部４２の下方に設けられ、連結部４６によって連結された搬送袋詰部４４には、スクリューフィーダ６４が設けられており、このスクリューフィーダ６４の回転によって小麦粉は充填口６６に向かって搬送され、充填口６６から押し出されて計量装置６８上に載置された包装袋７０に所定の量の小麦粉が充填される。
【０００８】
スクリューフィーダ６４は、脚部６０の内部に設けられた回転数が制御可能な可変速モータ７２によって、伝導手段７４を介して回転駆動される。スクリューフィーダ６４は、可変速モータ７２の回転数を制御することによって、充填の最初の段階では高速で回転して大量の小麦粉を包装袋７０に充填し、最終段階では低速で回転して包装袋７０に正確な量の小麦粉を充填するものであって、検出手段７６によって検出されたスクリューフィーダ６４の回転数と、計量装置６８で測定された包装袋７０に充填された小麦粉の量とによって可変速モータ７２の回転数が自動的に制御され、スクリューフィーダ６４が所定の回転数で回転して所定の量の小麦粉が自動的に包装袋７０に充填される。
【０００９】
図８はこのスクリューフィーダに設けられた従来技術のブリーザの一例を示すものであって、前述したように、濾布とフレームとの間に粉粒体が溜まることを防止するために、外側にフレームを配置して濾布を支持し、濾布の内側は完全な中空となっている。図８に示すように、この実施形態のブリーザ８０では、スクリューフィーダ５４から立ち上げられたパイプ８２の上端に取付座８４が固定されており、この取付座８４に濾布８６が取り付けられている。
【００１０】
濾布８６は、空気を透過する円筒部分８６ａとその両端に設けられたフランジ部分８６ｂ，８６ｃとからなっており、下側のフランジ部分８６ｂを取付座８４に載置して、中央に濾布８６の円筒部分８６ａに遊嵌する孔の設けられた下側の押さえフランジ８８で押さえ、上側のフランジ部分８６ｃを円板状の上フランジ９０と中央に濾布８６の円筒部分８６ａに遊嵌する孔の設けられた上側の押さえフランジ９２とで保持して、濾布８６の下側のフランジ部分８６ｂと下側の押さえフランジ８８とを複数個のステーボルト９４とナット９６で固定し、上側のフランジ部分８６ｃと上フランジ９０および上側の押さえフランジ９２を下側の押さえフランジ８８から所定の間隔になるように複数個のステーボルト９４とナット９６で支持して固定する構造となっている。
【００１１】
この濾布の取り付け構造では、濾布８６が円筒部分８６ａとその両端に設けられたフランジ部分８６ｂ，８６ｃとからなっているために高価であるとともに、図から明らかなように、ステーボルト９４のナット９６をスパナ等の工具を使用して全部取り外さなければ濾布８６を外すことができないので、濾布８６を取り出して清掃することはかなり手間のかかる作業となり、濾布８６の清掃後に濾布８６を取り付ける際にも、ステーボルト９４のナット９６の位置を調整して濾布８６が所定の張力で取り付けられるように調整しなければならないので、これもかなり手間のかかる作業となっていた。このため、どうしても濾布８６を清掃する間隔が開いてしまい、濾布８６に付着した粉粒体が変質することが生じ、この変質した粉粒体がスクリューフィーダ５４内に落下して搬送する粉粒体に混入する危険性を完全に防止することは困難であった。
【００１２】
【発明が解決しようとする課題】
本発明は上記事情に鑑みてなされたもので、その目的とするところは、上述のような問題点を解決して、ブリーザに取り付けられる濾布をより安価にするとともに、その取り付け構造も容易に取り付け取り外しをすることが可能な構造にして、濾布を短い間隔で清掃することを容易にすることによって、変質した粉粒体がスクリューフィーダの内部に落下して搬送する粉粒体に混入することを完全に防止することができる濾布をブリーザに取り付けるための取り付け構造を提供することにある。
【００１３】
【課題を解決するための手段】
これらの課題を解決するため、本発明に係る濾布の取り付け構造は、粉粒体を搬送するスクリューフィーダのブリーザに濾布を固定するための濾布の取り付け構造であって、筒状の濾布と、この濾布の上端および下端をそれぞれ嵌着して固定する上フランジおよび下フランジと、前記下フランジに嵌着されて上方に伸びるステーとを有し、前記上フランジを前記ステーに係合して前記濾布を上方に引き上げ、前記濾布に掛けられる張力によってブリーザに濾布を固定する際に、前記ステーが下方が開放された門形の形状を有し、下側の両端部が前記下フランジに嵌着され、上端部の中央に設けられた前記ステーを屈曲させた部分に設けた板状の係合部に形成した切り欠き部に前記上フランジの中央に設けられたボルトを係合し、このボルトをナットで引き上げて、前記濾布を前記下フランジと上フランジとの間に張力を掛けて固定することを特徴とする。
【００１５】
【発明の実施の形態】
以下、本発明の濾布の取り付け構造について、添付の図面に示される好適実施形態に基づいて説明する。図１は本発明の一実施形態に係る濾布の取り付け構造を示す側面図であり、図２は図１の断面Ａにおける詳細を示す部分断面図、図３は図１および図２の断面Ｂにおける詳細を示す部分断面図、図４は図３に示したハンガーの斜視図、図５は図１の部分Ｃにおける詳細を示す部分断面図、図６は図１の断面Ｄにおける詳細を示す部分断面図である。
【００１６】
図１は、本発明の一実施形態に係る濾布の取り付け構造を採用したブリーザを示すものであって、前述したように、濾布とフレームとの間に粉粒体が溜まることを防止するために、外側にフレームを配置して濾布を支持し、濾布の内側は完全な中空となっているものである。そして、図１に示すブリーザ１０は、例えば、図７に示すスクリューフィーダ５４の奥の端部から立ち上げられたパイプの上端にブリーザ５６として配置されるものである。
【００１７】
このブリーザ１０は、下端がパイプ１２に接続され、上端に濾布１４が固定された円筒形の取付座１６と、濾布１４の上端に固定され、ステー１８によって引き上げられるハンガー２０とからなっており、パイプ１２と取付座１６とは、容易に着脱できる任意の接続具２２によって接続されている。ここで、取付座１６は、後述するように、濾布の下端を嵌着して固定する下フランジを構成するものであって、ハンガー２０（図４の斜視図参照）は、濾布の上端を嵌着して固定する上フランジを構成するものである。
【００１８】
接続具２２は、例えば、ゴムバンドでパイプ１２と取付座１６との接続面における空気の流通を遮断して、その上から図示されていないホースバンド状の固定具で固定する構造や、あるいは、硬質プラスチックの筒の内面に軟質プラスチックのシール材を積層して、このシール材を介してパイプ１２と取付座１６とを接続する構造など、パイプ１２と取付座１６との接続面における空気の流通を遮断するとともに、容易に着脱可能であって、かつブリーザ１０をしっかりと保持できる構造とすることが望ましい。
【００１９】
取付座１６には、図１に示すように、ステー１８の取付板２４が左右に突出している。このステー１８の取付板２４は、図５および図６に示すように、三角形の板が取付座１６から左右に突出しているものであって、下方が開放された門形の形状に形成されたステー１８の下側の両端部に設けられた小径部が、図５に示すように、取付座１６から突出した取付板２４の孔に挿着されている。このステー１８の取付部の構造は、前述した構造に限定されるものではなく、ステー１８が倒れないように確実に支持すれば足りるものであって、取付板２４に十分な深さの座ぐりを設け、この座ぐりにステー１８の下側の両端部をそのまま挿入するなど、各種の構造を採用することができる。
【００２０】
取付座１６の上部には、図５に示すように、濾布１４が固定されている。この濾布１４は、筒状に形成されており、その両端部はゴム製リング２６を保持するように例えばミシン掛けされているものであって、この筒状の濾布１４の下端を取付座１６の上部に嵌着して固定する。従って、取付座１６は、濾布１４の下端を嵌着して固定する下フランジを構成することになる。この濾布１４の固定のために、取付座１６の上部には溝１６ａが設けられており、この溝１６ａに濾布１４を介して固定バンド２６ａを嵌め、この固定バンド２６ａを締めつけることによって濾布１４が取付座１６に固定される。上フランジとなるハンガー２０と濾布１４の上端も全く同様にして固定されるので、ここでは、ハンガー２０と濾布１４との固定については詳述しない。
【００２１】
ステー１８は、濾布１４を支持する外側のフレームを構成するものであって、前述したように、下方が開放された門形の形状をしており、下側の両端部が、取付座１６から左右に突出している取付板２４に嵌着している。そして、上端部の中央には、ステー１８の棒材が曲げられて係合部が形成されており、この係合部に、ハンガー２０のボルト２８を挿入する切り欠き部３０が設けられた受け板３２が配置されている。
【００２２】
前述したように、ハンガー２０には、濾布１４の上端が固定されているので、ハンガー２０を上方に引き上げることによって、濾布１４もともに引き上げられる。このため、ハンガー２０の中央に設けられたボルト２８を引き上げて受け板３２の切り欠き部３０に挿入すると、濾布１４は、下端が取付座１６に固定されているので、筒状に縦方向に伸びた形状となってハンガー２０で引き上げられる。この状態で、ハンガー２０のボルト２８を受け板３２の切り欠き部３０に係合して、ナット３４を締めてボルト２８を引き上げることによって、濾布１４の上端も引き上げられて濾布１４を所定の張力で固定することができる。そして、濾布１４の内部には何もない中空の状態で濾布１４が支持される。
【００２３】
ここで、ナット３４は、工具を使用することなく手の指で回して締めつけられるように、図３に示すように、外周にローレットが切られたサムスクリューや蝶ナット（図示しない）とすることが望ましい。そして、このように、ナット３４を手の指で回して締めつけることによって、濾布１４に無理な張力を掛けることなく、容易に適正な張力で固定することができる。さらに、ハンガー２０の中央に設けられたボルト２８の先端には袋ナット３６を固定して、誤ってボルト２８の先端に触れても怪我をしないように配慮することが望ましい。
【００２４】
本発明の濾布の取り付け構造は、以上に説明したように構成されているので、濾布１４は単に筒状に形成されており、この筒状の濾布１４の下端を取付座１６（下フランジ）の上部に、上端をハンガー２０（上フランジ）に固定バンド２６ａで固定するものであって、従来技術のように、濾布８６にフランジ部分８６ｂ，８６ｃを設ける必要がなく、濾布１４を安価に製造することができる。
【００２５】
また、このように構成することによって、本発明の濾布の取り付け構造を採用したブリーザは、外側にフレームを配置して濾布を支持し、濾布の内側は完全な中空とするタイプのブリーザとなり、濾布とフレームとの間に粉粒体が付着することはなく、粉粒体が付着した濾布１４を清掃するために、濾布１４をブリーザ１０から取り外すときには、ナット３４を手の指で回して緩め、濾布１４を取付座１６とハンガー２０に固定している固定バンド２６ａを外すことによって、濾布１４をブリーザ１０から容易に取り外すことができて、従来技術のかなり手間のかかる手作業を廃止することができる。そして、ブリーザ全体を取り外す必要が生じたときには、パイプ１２とブリーザ１０とを接続する接続具２２を外すことによって、容易にブリーザ１０を取り外すことができる。
【００２６】
【発明の効果】
以上に詳細に説明したように、本発明に係る濾布の取り付け構造によれば、ブリーザに取り付けられる濾布をより安価にするとともに、その取り付け構造も、濾布やブリーザを容易に取り付け取り外しをすることが可能な構造となり、濾布を短い間隔で清掃することを容易にすることによって、変質した粉粒体がスクリューフィーダの内部に落下して搬送する粉粒体に混入することを完全に防止することができる濾布をブリーザに取り付けるための取り付け構造を提供することができる。
【図面の簡単な説明】
【図１】  本発明の一実施形態に係る濾布の取り付け構造を示す側面図である。
【図２】  図１の断面Ａにおける詳細を示す部分断面図である。
【図３】  図１および図２の断面Ｂにおける詳細を示す部分断面図である。
【図４】  図３に示したハンガー２０の斜視図である。
【図５】  図１の部分Ｃにおける詳細を示す部分断面図である。
【図６】  図１の断面Ｄにおける詳細を示す部分断面図である。
【図７】  奥の端部にブリーザを設けたスクリューフィーダの一例を示す説明図である。
【図８】  スクリューフィーダに設けられた従来技術のブリーザの一例を示す側面図である。
【符号の説明】
１０  ブリーザ
１２  パイプ
１４  濾布
１６  取付座
１８  ステー
２０  ハンガー
２２  接続具
２４  取付板
２６  ゴム製リング
２６ａ  固定バンド
２８  ボルト
３０  切り欠き部
３２  受け板
３４  ナット
３６  袋ナット
【図１】
0004097960.tif 000002
【図２】
0004097960.tif 000003
【図３】
0004097960.tif 000004
【図４】
0004097960.tif 000005
【図５】
0004097960.tif 000006
【図６】
0004097960.tif 000007
【図７】
0004097960.tif 000008
【図８】
0004097960.tif 000009